(57)【要約】【課題】電子機器に対する不用意な電力の供給の遮断を防止することができる電源遮断システムを提供する。【解決手段】電子機器１０と、電子機器１０に電力を供給するコンセント２２を有するテーブルタップ２０と、を備える電源遮断システム１０００において、電子機器１０には、予め設定された所定の電源遮断不可状態の場合に、テーブルタップ２０に制御信号を出力する出力手段（出力端子１４ａ、制御信号出力プログラム１３１を実行したＣＰＵ１１０、トランジスタ１０１、電源コード１２）を備え、テーブルタップ２０には、ユーザスイッチ２３により電子機器１０への電力の供給がオフに切り替えられた場合であって、出力端子１４ａにより制御信号の入力がある場合には、電子機器１０への電力の供給を継続すると共に、出力端子１４ａにより制御信号の入力がない場合には、電子機器１０への電力の供給を遮断するリレー回路２１０を備えるよう構成した。【選択図】図５
2007060738.tif 000002
【特許請求の範囲】
【請求項１】
二つの電源用の凸型接触端子を有するプラグを先端に設けた電源コードを有する電子機器と、当該電子機器に電力を供給する二つの電源用の凹型接触端子を有するコンセントを有するテーブルタップと、を備える電源遮断システムにおいて、
前記電子機器は、
予め設定された所定の電源遮断不可状態の場合に、前記二つの電源用の凸型接触端子の間に設けられた凸型の出力端子を介して、前記テーブルタップに制御信号を出力する出力手段を備え、
前記テーブルタップは、
前記二つの電源用の凹型接触端子の間に設けられ、前記コンセントに前記プラグを差し込むことにより前記出力端子と接触して前記制御信号を入力する凹型の入力端子と、
前記コンセントによる前記電子機器への電力の供給のオンオフを切り替えるスイッチと、
前記スイッチにより前記電子機器への電力の供給がオフに切り替えられた場合であって、前記入力端子に前記出力端子からの前記制御信号の入力がある場合には、当該電子機器への電力の供給を継続すると共に、前記入力端子に前記出力端子からの前記制御信号の入力がない場合には、当該電子機器への電力の供給を遮断する制御手段と、
を備えることを特徴とする電源遮断システム。
【請求項２】
電子機器と、当該電子機器に電力を供給するコンセントを有するテーブルタップと、を備える電源遮断システムにおいて、
前記電子機器は、
予め設定された所定の電源遮断不可状態の場合に、前記テーブルタップに制御信号を出力する出力手段を備え、
前記テーブルタップは、
前記コンセントによる前記電子機器への電力の供給のオンオフを切り替えるスイッチと、
前記スイッチにより前記電子機器への電力の供給がオフに切り替えられた場合であって、前記出力手段により前記制御信号の入力がある場合には、当該電子機器への電力の供給を継続すると共に、前記出力手段により前記制御信号の入力がない場合には、当該電子機器への電力の供給を遮断する制御手段と、
を備えることを特徴とする電源遮断システム。
【請求項３】
請求項２に記載の電源遮断システムにおいて、
前記電子機器の電源コードのプラグに、前記制御信号を出力する出力端子が設けられ、
前記テーブルタップの本体部に、前記制御信号を入力する入力端子が設けられ、
前記テーブルタップの前記コンセントに前記プラグを差し込むことにより、前記出力端子と前記入力端子とが接触するよう構成されていることを特徴とする電源遮断システム。
【請求項４】
請求項３に記載の電源遮断システムにおいて、
前記出力端子は、凸型の端子であり、
前記入力端子は、凹型の端子であることを特徴とする電源遮断システム。
【請求項５】
請求項３又は４に記載の電源遮断システムにおいて、
前記出力端子は、前記電子機器の前記電源コードの先端に設けられた前記プラグが有する二つの電源用の凸型接触端子の間に備えられ、
前記入力端子は、前記コンセントが有する二つの電源用の凹型接触端子の間に備えられていることを特徴とする電源遮断システム。
【発明の詳細な説明】
【技術分野】
【０００１】
本発明は、電源遮断システムに関する。
【背景技術】
【０００２】
従来、複数のコンセントを備えたテーブルタップ、複数のコンセントと一つのスイッチとを備えたテーブルタップ、複数のコンセントと各コンセントに対応した複数のスイッチとを備えたテーブルタップなどが知られている。
【０００３】
上述したスイッチ付きのテーブルタップは、ユーザによる簡易なスイッチ操作だけで、電子機器が離れた場所にあっても、一度に、或いは、適宜に、電子機器への電力の供給状態を切り替えることができるため、利便性が高い。その一方で、スイッチ付きのテーブルタップは、ユーザによりスイッチがオフされると、電子機器への電力の供給を遮断すべきでない場合であっても、具体的には、例えば、パソコン等の電子機器が記録動作中であっても、当該電子機器への電力の供給を遮断してしまい、不具合を起こしてしまうという問題があった。
【０００４】
そこで、ユーザによるスイッチ操作に依らず、複数の電子機器への電力の供給状態を切り替えることができるテーブルタップが提案されている。具体的には、例えば、パソコンと電源コード以外の別のコードで接続され、当該パソコン及び当該パソコンの周辺機器に電力を供給するテーブルタップにおいて、当該パソコンからの制御信号に従って、当該周辺機器への電力の供給状態を周辺機器毎に切り替えることができるもの（例えば、特許文献１参照）や、パソコンと電源コード以外の別のコードで接続され、当該パソコンの周辺機器に電力を供給するテーブルタップにおいて、当該パソコンの電源が切られたときに、当該周辺機器への電力の供給を遮断することができるもの（例えば、特許文献２参照）などが提案されている。
【特許文献１】特開平１１−２１２６８３号公報
【特許文献２】特開平８−２０５４３０号公報
【発明の開示】
【発明が解決しようとする課題】
【０００５】
しかしながら、特許文献１及び２のテーブルタップは、当該テーブルタップに接続されたパソコンの周辺機器にしか有効ではない。すなわち、パソコンの周辺機器以外の独立した電子機器への電力の供給状態は切り替えることができない。また、パソコンとテーブルタップを接続する電源コード以外の余計なコードが必要となるため、見た目が煩雑になってしまうという問題もある。
【０００６】
本発明の課題は、電子機器に対する不用意な電力の供給の遮断を防止することができる電源遮断システムを提供することにある。
【課題を解決するための手段】
【０００７】
上記課題を解決するために、請求項１に記載の発明は、二つの電源用の凸型接触端子を有するプラグを先端に設けた電源コードを有する電子機器と、当該電子機器に電力を供給する二つの電源用の凹型接触端子を有するコンセントを有するテーブルタップと、を備える電源遮断システムにおいて、前記電子機器は、予め設定された所定の電源遮断不可状態の場合に、前記二つの電源用の凸型接触端子の間に設けられた凸型の出力端子を介して、前記テーブルタップに制御信号を出力する出力手段を備え、前記テーブルタップは、前記二つの電源用の凹型接触端子の間に設けられ、前記コンセントに前記プラグを差し込むこ
とにより前記出力端子と接触して前記制御信号を入力する凹型の入力端子と、前記コンセントによる前記電子機器への電力の供給のオンオフを切り替えるスイッチと、前記スイッチにより前記電子機器への電力の供給がオフに切り替えられた場合であって、前記入力端子に前記出力端子からの前記制御信号の入力がある場合には、当該電子機器への電力の供給を継続すると共に、前記入力端子に前記出力端子からの前記制御信号の入力がない場合には、当該電子機器への電力の供給を遮断する制御手段と、を備えることを特徴とする。
【０００８】
請求項２に記載の発明は、電子機器と、当該電子機器に電力を供給するコンセントを有するテーブルタップと、を備える電源遮断システムにおいて、前記電子機器は、予め設定された所定の電源遮断不可状態の場合に、前記テーブルタップに制御信号を出力する出力手段を備え、前記テーブルタップは、前記コンセントによる前記電子機器への電力の供給のオンオフを切り替えるスイッチと、前記スイッチにより前記電子機器への電力の供給がオフに切り替えられた場合であって、前記出力手段により前記制御信号の入力がある場合には、当該電子機器への電力の供給を継続すると共に、前記出力手段により前記制御信号の入力がない場合には、当該電子機器への電力の供給を遮断する制御手段と、を備えることを特徴とする。
【０００９】
請求項３に記載の発明は、請求項２に記載の電源遮断システムにおいて、前記電子機器の電源コードのプラグに、前記制御信号を出力する出力端子が設けられ、前記テーブルタップの本体部に、前記制御信号を入力する入力端子が設けられ、前記テーブルタップの前記コンセントに前記プラグを差し込むことにより、前記出力端子と前記入力端子とが接触するよう構成されていることを特徴とする。
【００１０】
請求項４に記載の発明は、請求項３に記載の電源遮断システムにおいて、前記出力端子は、凸型の端子であり、前記入力端子は、凹型の端子であることを特徴とする。
【００１１】
請求項５に記載の発明は、請求項３又は４に記載の電源遮断システムにおいて、前記出力端子は、前記電子機器の前記電源コードの先端に設けられた前記プラグが有する二つの電源用の凸型接触端子の間に備えられ、前記入力端子は、前記コンセントが有する二つの電源用の凹型接触端子の間に備えられていることを特徴とする。
【発明の効果】
【００１２】
請求項１に記載の発明によれば、電子機器の出力手段によって、予め設定された電子機器における所定の電源遮断不可状態の場合に、テーブルタップに制御信号を出力することができ、テーブルタップの制御手段によって、テーブルタップのスイッチにより電子機器への電力の供給がオフに切り替えられた場合であって、電子機器の出力手段により制御信号の入力がある場合には、当該電子機器への電力の供給を継続すると共に、電子機器の出力手段により制御信号の入力がない場合には、当該電子機器への電力の供給を遮断することができる。すなわち、テーブルタップは、電子機器が電源遮断不可状態にある場合には、ユーザによるスイッチの操作によって電子機器への電力の供給がオフに切り替えられても、電子機器への電力の供給を遮断しないため、電子機器に対する不用意な電力の供給の遮断を防止することができる。
【００１３】
そして、テーブルタップのコンセントに電子機器のプラグを差し込むことにより、出力端子と入力端子とが接触するよう構成されている。すなわち、コンセントにプラグを差し込むという最低限の操作だけで、出力端子と入力端子とを接触させることができるため、手間がかからない。また、電子機器とテーブルタップとは、電子機器の電源コードのみで接続されるため、見た目が煩雑にならない。
【００１４】
さらに、出力端子は凸型の端子であり、入力端子は凹型の端子であるため、確実に、接触することができる。また、電力供給源であるテーブルタップに備えられた入力端子が、凹型を成しているため、出力端子以外のものとの接触を防止することができることとなっ
て、安全である。
【００１５】
また、出力端子は、電子機器の電源コードの先端に設けられたプラグが有する二つの電源用の凸型接触端子の間に備えられ、入力端子は、テーブルタップのコンセントが有する二つの電源用の凹型接触端子の間に備えられている。すなわち、プラグやコンセントにおける既存のスペースに、出力端子や入力端子が備えられているため、出力端子や入力端子を新設しても、プラグやコンセントのサイズが大きくなってしまうことがなくなって、好適である。
【００１６】
請求項２に記載の発明によれば、電子機器の出力手段によって、予め設定された電子機器における所定の電源遮断不可状態の場合に、テーブルタップに制御信号を出力することができ、テーブルタップの制御手段によって、テーブルタップのスイッチにより電子機器への電力の供給がオフに切り替えられた場合であって、電子機器の出力手段により制御信号の入力がある場合には、当該電子機器への電力の供給を継続すると共に、電子機器の出力手段により制御信号の入力がない場合には、当該電子機器への電力の供給を遮断することができる。すなわち、テーブルタップは、電子機器が電源遮断不可状態にある場合には、ユーザによるスイッチの操作によって電子機器への電力の供給がオフに切り替えられても、電子機器への電力の供給を遮断しないため、電子機器に対する不用意な電力の供給の遮断を防止することができる。
【００１７】
請求項３に記載の発明によれば、請求項２に記載の発明と同様の効果が得られることは無論のこと、テーブルタップのコンセントに電子機器のプラグを差し込むことにより、出力端子と入力端子とが接触するよう構成されている。すなわち、コンセントにプラグを差し込むという最低限の操作だけで、出力端子と入力端子とを接触させることができるため、手間がかからない。また、電子機器とテーブルタップとは、電子機器の電源コードのみで接続されるため、見た目が煩雑にならない。
【００１８】
請求項４に記載の発明によれば、請求項３に記載の発明と同様の効果が得られることは無論のこと、出力端子は凸型の端子であり、入力端子は凹型の端子であるため、確実に、接触することができる。また、電力供給源であるテーブルタップに備えられた入力端子が、凹型を成しているため、出力端子以外のものとの接触を防止することができることとなって、安全である。
【００１９】
請求項５に記載の発明によれば、請求項３又は４に記載の発明と同様の効果が得られることは無論のこと、出力端子は、電子機器の電源コードの先端に設けられたプラグが有する二つの電源用の凸型接触端子の間に備えられ、入力端子は、テーブルタップのコンセントが有する二つの電源用の凹型接触端子の間に備えられている。すなわち、プラグやコンセントにおける既存のスペースに、出力端子や入力端子が備えられているため、出力端子や入力端子を新設しても、プラグやコンセントのサイズが大きくなってしまうことがなくなって、好適である。
【発明を実施するための最良の形態】
【００２０】
以下、図を参照して、本発明にかかる電源遮断システム１０００の最良の形態を詳細に説明する。なお、発明の範囲は、図示例に限定されない。
＜電源遮断システムの構成＞
電源遮断システム１０００は、例えば、図１に示すように、電子機器１０と、電子機器１０に電力を供給するコンセント２２…を有するテーブルタップ２０と、を備えて構成される。
【００２１】
ここで、電子機器１０は、任意の電子機器であって、例えば、パーソナルコンピュータやＡＶ機器などである。
【００２２】
なお、テーブルタップ２０が有するコンセント２２の個数は、図１の限りではなく、任意である。また、電子機器１０の個数は、図１の限りではなく、テーブルタップ２０が有するコンセント２２の個数を上限とするのであれば、任意である。
[電子機器及びテーブルタップの要部構成]
電子機器１０は、例えば、図１に示すように、電子機器本体１１と、電子機器本体１１に設けられた電源コード１２と、電源コード１２の先端に設けられたプラグ１３と、プラグ１３が有する二つの電源用の凸型接触端子１３ａ，１３ａと、プラグ１３に設けられた二つの出力端子部１４，１４と、などを備えて構成される。
【００２３】
テーブルタップ２０は、例えば、図１に示すように、本体部２１と、本体部２１に設けられたコンセント２２…と、コンセント２２が有する二つの電源用の凹型接触端子２２ａ，２２ａと、本体部２１に設けられたユーザスイッチ２３…と、本体部２１に設けられた二つで一組の入力端子部２４，２４…と、本体部２１に設けられた電源コード２５と、電源コード２５の先端に設けられたプラグ２６と、などを備えて構成される。
【００２４】
テーブルタップ２０のユーザスイッチ２３は、例えば、スイッチとして、ユーザが、対応するコンセント２２による電子機器１０への電力の供給のオンオフを切り替える際に使用される。
【００２５】
ここで、テーブルタップ２０のコンセント２２が、電子機器１０へ電力を供給することができるのは、テーブルタップ２０のプラグ２６が室内に設けられた室内コンセント（図示省略）などに差し込まれ、電子機器１０のプラグ１３がテーブルタップ２０のコンセント２２に差し込まれ（すなわち、プラグ１３が有する電源用の凸型接触端子１３ａ，１３ａが、コンセント２２が有する電源用の凹型接触端子２２ａ，２２ａに接触され）、テーブルタップ２０のユーザスイッチ２３により電子機器１０への電力の供給がオンとなっている場合である。
【００２６】
プラグ１３に設けられた二つの出力端子部１４，１４は、例えば、図１及び図２に示すように、プラグ１３が有する二つの電源用の凸型接触端子１３ａ，１３ａの間に、図２における上下方向に並んで配置されている。出力端子部１４は、電源用の凸型接触端子１３ａと同一方向に、プラグ１３から突出した凸型を成している。そして、出力端子部１４の長さは、電源用の凸型接触端子１３ａの長さよりも短くなるよう設定されている。
【００２７】
テーブルタップ２０の本体部２１に設けられた二つで一組の入力端子部２４，２４は、例えば、図１及び図３に示すように、テーブルタップ２０のコンセント２２が有する二つの電源用の凹型接触端子２２ａ，２２ａの間に、図３における上下方向に並んで配置されている。入力端子部２４は、電源用の凹型接触端子２２ａと同一方向に、本体部２１から陥没した凹型を成している。
【００２８】
出力端子部１４は、例えば、図４（ａ）に示すように、プラグ１３から突出するように設けられた凸型の出力端子１４ａと、出力端子１４ａを取り囲む端子カバー１４ｂと、などにより構成されている。出力端子１４ａの長さは、端子カバー１４ｂの長さよりも短くなるよう設定されている。
【００２９】
入力端子部２４は、例えば、図４（ｂ）に示すように、テーブルタップ２０の本体部２１から陥没するように設けられた凹型の入力端子２４ａと、入力端子２４ａを取り囲む凹陥部２４ｂと、などにより構成されている。入力端子２４ａの長さは、凹陥部２４ｂの長さよりも短くなるよう設定されている。
【００３０】
出力端子１４ａの先端部１４ａ１は、例えば、図４（ａ）に示すように、球面形状を成し、入力端子２４ａの先端部２４ａ１は、例えば、図４（ｂ）に示すように、二股に分かれた形状を成している。そして、例えば、図４（ｃ）に示すように、出力端子１４ａの先端部１４ａ１が、二股に分かれた入力端子２４ａの先端部２４ａ１に挟み込まれることに
より、互いに接触し易くなっている。
【００３１】
なお、出力端子１４ａの先端部１４ａ１の形状及び入力端子２４ａの先端部２４ａ１の形状は、出力端子１４ａの先端部１４ａ１と入力端子２４ａの先端部２４ａ１とが接触可能であれば、図４の限りではなく、任意である。
【００３２】
出力端子１４ａ及び入力端子２４ａの長さは、テーブルタップ２０のコンセント２２に電子機器１０のプラグ１３を差し込んだ際に、例えば、図４（ｃ）に示すように、出力端子１４ａの先端部１４ａ１と、入力端子２４ａの先端部２４ａ１と、が接触するよう設定されている。
【００３３】
端子カバー１４ｂの形状は、テーブルタップ２０のコンセント２２に電子機器１０のプラグ１３を差し込んだ際に、凹陥部２４ｂに挿入可能となるよう設定されている。
[電子機器の機能的構成]
電子機器１０は、例えば、図５に示すように、電子機器本体１１に、制御部１００、トランジスタ（ＮＰＮ型）１０１、電源回路１０２などを備え、トランジスタ１０１と、プラグ１３が備える出力端子１４ａと、が電源コード１２を介して接続されると共に、電源回路１０２と、プラグ１３が有する電源用の凸型接触端子１３ａ，１３ａと、が電源コード１２を介して接続されている。
【００３４】
トランジスタ１０１は、ベース端子１０１ａが制御部１００に接続され、エミッタ端子１０１ｂが接地され、コレクタ端子１０１ｃがプラグ１３に備えられた二つの出力端子１４ａ，１４ａの一方に接続されている。
【００３５】
電源回路１０２は、プラグ１３が有する二つの電源用の凸型接触端子１３ａ，１３ａに接続されている。電源回路１０２は、電源用の凸型接触端子１３ａ，１３ａを介して、テーブルタップ２０のコンセント２２が有する電源用の凹型接触端子２２ａ，２２ａから供給される電力をもとに、電子機器１０用の電源を生成して、電子機器１０を起動する。
【００３６】
制御部１００は、例えば、図５に示すように、ＣＰＵ（Central Processing Unit）１
１０と、ＲＡＭ（Random Access Memory）１２０と、記憶部１３０と、などを備えている。
【００３７】
ＣＰＵ１１０は、ＲＯＭ１２０に記憶された電子機器１０用の各種処理プログラムに従って各種の制御動作を行う。
【００３８】
ＲＡＭ１２０は、ＣＰＵ１１０によって実行される処理プログラムなどを展開するためのプログラム格納領域や、入力データや上記処理プログラムが実行される際に生じる処理結果などを格納するデータ格納領域などを備える。
【００３９】
記憶部１３０は、電子機器１０で実行可能なシステムプログラム、当該システムプログラムで実行可能な各種処理プログラム、これら各種処理プログラムを実行する際に使用されるデータ、ＣＰＵ１１０によって演算処理された処理結果のデータなどを記憶する。なお、プログラムは、コンピュータが読み取り可能なプログラムコードの形で記憶部１３０に記憶されている。
【００４０】
具体的には、記憶部１３０には、例えば、図５に示すように、制御信号出力プログラム１３１などが記憶されている。
【００４１】
制御信号出力プログラム１３１は、ＣＰＵ１１０に、予め設定された電子機器１０における所定の電源遮断不可状態の場合に、出力端子１４ａを介して、テーブルタップ２０に
制御信号を出力する機能を実現させる。
【００４２】
ここで、予め設定された所定の電源遮断不可状態とは、電子機器１０への電力の供給を遮断すべきでない状態であって、例えば、電子機器１０がパーソナルコンピュータの場合には、当該パーソナルコンピュータにおける記録媒体への記録動作が完了していない場合などであり、電子機器１０がＡＶ機器の場合には、当該ＡＶ機器における録画動作や録音動作に対して予約の設定がされている場合などである。
【００４３】
ＣＰＵ１１０は、かかる制御信号出力プログラム１３１を実行することによって、出力手段として機能する。
【００４４】
なお、出力手段は、制御信号出力プログラム１３１を実行したＣＰＵ１１０と、トランジスタ１０１と、電源コード１２と、出力端子１４ａと、などによって構成される。
[テーブルタップの機能的構成]
テーブルタップ２０は、例えば、図５に示すように、本体部２１に、スイッチ回路２００…、二つで一組の入力端子２４ａ，２４ａ…、コンセント２２…が有する二つの電源用の凹型接触端子２２ａ，２２ａ…などを備え、スイッチ回路２００と、入力端子２４ａ，２４ａ及び電源用の凹型接触端子２２ａと、が接続され、さらに、スイッチ回路２００と、プラグ２６と、が電源コード２５を介して接続されると共に、電源用の凹型接触端子２２ａと、プラグ２６と、が電源コード２５を介して接続されている。
【００４５】
スイッチ回路２００は、例えば、ユーザスイッチ２３と、リレー回路２１０と、などにより構成されている。ユーザスイッチ２３とリレー回路２１０とは、並列に配置されている。スイッチ回路２００は、一端が二つの電源用の凹型接触端子２２ａ，２２ａの一方に接続され、他端がプラグ２６に接続されている。
【００４６】
リレー回路２１０は、例えば、コイル２１１と、リレー回路用スイッチ２１２と、などにより構成されている。コイル２１１の両端は、一組の入力端子２４ａ，２４ａに接続されている。また、リレー回路用スイッチ２１２は、一端が二つの電源用の凹型接触端子２２ａ，２２ａの一方に接続され、他端がプラグ２６に接続されている。
【００４７】
リレー回路用スイッチ２１２は、電子機器１０の出力端子１４ａからの制御信号が、入力端子２４ａを介して、コイル２１１に入力されている場合には、オンとなる。一方、リレー回路用スイッチ２１２は、制御信号がコイル２１１に入力されていない場合には、オフとなる。
【００４８】
具体的には、リレー回路２１０は、制御手段として、ユーザスイッチ２３により電子機器１０への電力の供給がオフに切り替えられた場合であって、テーブルタップ２０の入力端子２４ａに、電子機器１０の出力端子１４ａにより制御信号の入力がある場合には、リレー回路２１０はオン状態のままなので、テーブルタップ２０のコンセント２２による電子機器１０への電力の供給を継続すると共に、テーブルタップ２０の入力端子２４ａに、電子機器１０の出力端子１４ａにより制御信号の入力がない場合には、リレー回路２１０はオフ状態となるので、テーブルタップ２０のコンセント２２による電子機器１０への電力の供給を遮断する。
【００４９】
ここで、電子機器１０の出力端子１４ａにより入力される制御信号とは、制御信号出力プログラム１３１を実行したＣＰＵ１１０によって出力される制御信号のことである。
＜電源遮断システムにおける電源遮断動作＞
次に、電源遮断システム１０００における電子機器１０に対する電源遮断動作について、図６を参照して説明する。
【００５０】
なお、テーブルタップ２０のプラグ２６が室内コンセント（図示省略）などに差し込まれ、且つ、電子機器１０のプラグ１３がテーブルタップ２０のコンセント２２に差し込まれると共に、プラグ１３に設けられた出力端子１４ａ，１４ａとテーブルタップ２０の本体部２１に設けられた入力端子２４ａ，２４ａとが接触していることを前提に説明する。
【００５１】
まず、時点[Ａ]のように、テーブルタップ２０のユーザスイッチ２３がオンであり、且つ、電子機器１０の出力端子１４ａからの制御信号の入力がない場合には、テーブルタップ２０は、コンセント２２により電子機器１０へ電力を供給している。
【００５２】
次いで、時点[Ｂ]のように、テーブルタップ２０のユーザスイッチ２３がオフに切り替えられ（すなわち、ユーザスイッチ２３により電子機器１０への電力の供給がオフに切り替えられ）、且つ、電子機器１０の出力端子１４ａからの制御信号の入力がない場合には、テーブルタップ２０は、コンセント２２による電子機器１０への電力の供給を遮断する。
【００５３】
次いで、時点[Ｃ]のように、テーブルタップ２０のユーザスイッチ２３がオンに切り替えられ（すなわち、ユーザスイッチ２３により電子機器１０への電力の供給がオンに切り替えられ）、且つ、電子機器１０の出力端子１４ａからの制御信号の入力がない場合には、テーブルタップ２０は、コンセント２２による電子機器１０への電力の供給を開始する。
【００５４】
次いで、時点[Ｄ]のように、テーブルタップ２０のユーザスイッチ２３がオンのままであり、且つ、電子機器１０の出力端子１４ａからの制御信号の入力が開始された場合には、テーブルタップ２０は、コンセント２２による電子機器１０への電力の供給を継続する。
【００５５】
次いで、時点[Ｅ]のように、テーブルタップ２０のユーザスイッチ２３がオフに切り替えられ、且つ、電子機器１０の出力端子１４ａからの制御信号の入力がある場合には、テーブルタップ２０は、コンセント２２による電子機器１０への電力の供給を継続する。
【００５６】
次いで、時点[Ｆ]のように、テーブルタップ２０のユーザスイッチ２３がオフのままであり、且つ、電子機器１０の出力端子１４ａからの制御信号の入力が停止された場合には、テーブルタップ２０は、コンセント２２による電子機器１０への電力の供給を遮断する。
【００５７】
すなわち、電源遮断システム１０００における電子機器１０に対する電源遮断動作においては、テーブルタップ２０は、時点[Ｂ]から時点[Ｃ]の間や時点[Ｆ]以降のように、ユーザスイッチ２３がオフであり、且つ、テーブルタップ２０の入力端子２４ａに、電子機器１０の出力端子１４ａからの制御信号の入力がない場合にのみ、コンセント２２による電子機器１０への電力の供給を遮断する。
【００５８】
以上説明した本発明の電源遮断システム１０００によれば、電子機器１０の出力手段（出力端子１４ａ、制御信号出力プログラム１３１を実行したＣＰＵ１１０、トランジスタ１０１、電源コード１２）によって、電子機器１０が予め設定された所定の電源遮断不可状態の場合に、テーブルタップ２０に制御信号を出力することができ、テーブルタップ２０のユーザスイッチ２３によって、テーブルタップ２０のコンセント２２による電子機器１０への電力の供給のオンオフを切り替えることができ、テーブルタップ２０のリレー回路２１０によって、ユーザスイッチ２３により電子機器１０への電力の供給がオフに切り替えられた場合であって、出力端子１４ａにより制御信号の入力がある場合には、電子機器１０への電力の供給を継続すると共に、出力端子１４ａにより制御信号の入力がない場合には、電子機器１０への電力の供給を遮断することができる。すなわち、テーブルタップ２０は、電子機器１０が電源遮断不可状態にある場合には、ユーザによるユーザスイッチ２３の操作によって電子機器１０への電力の供給がオフに切り替えられても、電子機器１０への電力の供給を遮断しないため、電子機器１０に対する不用意な電力の供給の遮断
を防止することができる。
【００５９】
また、電子機器１０の電源コード１２のプラグ１３に、制御信号を出力する出力端子１４ａが設けられ、テーブルタップ２０の本体部２１に、制御信号を入力する入力端子２４ａが設けられ、テーブルタップ２０のコンセント２２に電子機器１０のプラグ１３を差し込むことにより、出力端子１４ａと入力端子２４ａとが接触するよう構成されている。すなわち、コンセント２２にプラグ１３を差し込むという最低限の操作だけで、出力端子１４ａと入力端子２４ａとを接触させることができるため、手間がかからない。また、電子機器１０とテーブルタップ２０とは、電子機器１０の電源コード１２のみで接続されるため、見た目が煩雑にならない。
【００６０】
また、出力端子１４ａは凸型の端子であり、入力端子２４ａは凹型の端子であるため、確実に、接触することができる。また、電力供給源であるテーブルタップ２０に備えられた入力端子２４ａが、凹型を成しているため、出力端子１４ａ以外のものとの接触を防止することができることとなって、安全である。
【００６１】
また、出力端子１４ａは、電子機器１０の電源コード１２の先端に設けられたプラグ１３が有する二つの電源用の凸型接触端子１３ａ，１３ａの間に備えられ、入力端子２４ａは、テーブルタップ２０のコンセント２２が有する二つの電源用の凹型接触端子２２ａ，２２ａの間に備えられている。すなわち、プラグ１３やコンセント２２における既存のスペースに出力端子１４ａ（出力端子部１４）や入力端子２４ａ（入力端子部２４）が備えられているため、出力端子１４ａや入力端子２４ａを新設しても、プラグ１３やコンセント２２のサイズが、従来のプラグやコンセントのサイズよりも大きくなってしまうことがなくなって、好適である。
【００６２】
なお、本発明は、上記した実施の形態のものに限るものではなく、その要旨を逸脱しない範囲で適宜変更可能である。
【００６３】
具体的には、電子機器１０に対する不用意な電力の供給の遮断を防止するという課題のみを解決することにおいては、電子機器１０から制御信号を出力するコードは電源コード１２と別個のものであってもよい。
【００６４】
また、出力端子１４ａ（出力端子部１４）及び入力端子２４ａ（入力端子部２４）の形状や設置位置は、出力端子１４ａと入力端子２４ａとが接触可能であれば、任意である。
【図面の簡単な説明】
【００６５】
【図１】本実施の形態における電源遮断システムの要部構成を示す外観図である。
【図２】電子機器のプラグ近傍を示す側面図（ａ）及び正面図（ｂ）である。
【図３】テーブルタップのコンセント近傍を示す平面図である。
【図４】電子機器の出力端子部を示すの断面図（ａ）、テーブルタップの入力端子部を示す断面図（ｂ）及び入力端子部に出力端子部を差し込んだ状態を示す断面図（ｃ）である。
【図５】本実施の形態における電源遮断システムの機能的構成を示すブロック図である。
【図６】電源遮断システムにおける電子機器に対する電源遮断動作について説明するための図である。
【符号の説明】
【００６６】
１０  電子機器
１２  電源コード（出力手段）
１３  プラグ
１３ａ  電源用の凸型接触端子
１４ａ  出力端子（出力手段）
２０  テーブルタップ
２１  本体部
２２  コンセント
２２ａ  電源用の凹型接触端子
２３  ユーザスイッチ（スイッチ）
２４ａ  入力端子
１０１  トランジスタ（出力手段）
１１０  ＣＰＵ（出力手段）
１３１  制御信号出力プログラム（出力手段）
２１０  リレー回路（制御手段）
１０００  電源遮断システム
【図１】
2007060738.tif 000003
【図２】
2007060738.tif 000004
【図３】
2007060738.tif 000005
【図４】
2007060738.tif 000006
【図５】
2007060738.tif 000007
【図６】
2007060738.tif 000008